(57)【要約】【課題】背筋を伸ばし、姿勢を正し、腰椎が窪んだ状態が維持し得るようにランバーサポートを設定し、椅子等に着座して猫背になるのを防ぎ、座面に加わる体重が仙骨から大腿骨に至る臀部全体に分散し、長時間の着座においても苦痛に感じられないようにする。【解決手段】背椎に向き合う背椎部１１が、左右の背凭れ支持フレーム間に弾性布帛を張設して構成されており、その背椎部の弾性布帛の左右の側縁が背凭れ支持フレーム１２に密着した固定縁１４となっており、その固定縁１４が座面１５に対して８５度前後の傾斜角度θをもって傾斜した斜面Ｔ−Ｔを構成している椅子等の背凭れ１８において、背椎部と座面の間において腰椎に向き合う腰椎部１６を、左右の背凭れ支持フレーム間に張設したバックアップ材２１・２２によって構成し、そのバックアップ材の少なくとも一部を、背椎部の固定縁１４を通る斜面を超えて座面の前方側に突き出た突出部２１とする。【選択図】図１
2008000326.tif 000002
【特許請求の範囲】
【請求項１】
背椎に向き合う背椎部（１１）が、左右の背凭れ支持フレーム間（１２・１２）に弾性布帛を張設して構成されており、その背椎部の弾性布帛の左右の側縁が背凭れ支持フレーム（１２）に密着した固定縁（１４）となっており、その固定縁が座面（１５）に対して傾斜した斜面（Ｔ−Ｔ）を構成しており、背椎部と座面の間において腰椎に向き合う腰椎部（１６）が、左右の背凭れ支持フレーム間にバックアップ材（２１・２２）を張設して構成されており、
そのバックアップ材の少なくとも一部が、背椎部の下縁（４０）から座面（１５）に降ろした垂線（Ｖ−Ｖ）よりも座面（１５）の前縁側（４１）に突き出た突出部（２１）となっており、
その突出部（２１）が、背椎部の固定縁（１４）を通る斜面（Ｔ−Ｔ）を超えて座面の前縁側（４１）に突き出ていることを特徴とする背凭れ。
【請求項２】
背椎部の固定縁（１４）を通る斜面（Ｔ−Ｔ）を超えて突き出ているバックアップ材の突出部（２１）の表面（Ａ−Ｏ）が座面（１５）に対して傾斜しており、その傾斜角度（α）が背椎部の固定縁を通る斜面（Ｔ−Ｔ）の傾斜角度（θ）以上（α≧θ）であることを特徴とする前掲請求項１に記載の背凭れ。
【請求項３】
バックアップ材の突出部（２１）の下側部分が座面の後方側に後退した後退部（２２）となっていることを特徴とする前掲請求項１と２の何れかに記載の背凭れ。
【請求項４】
バックアップ材の後退部（２２）の表面（Ｂ−Ｏ）が座面（１５）に対して傾斜しており、その傾斜角度（β）が、バックアップ材の突出部（２１）の表面（Ａ−Ｏ）の座面に対する傾斜角度（α）以上（β≧α）であり、
背椎部の下縁（４０）から座面（１５）に降ろした垂線（Ｖ−Ｖ）からバックアップ材（２１・２２）の中心部（Ｏ）までの突出距離（Ｒ）が２０〜７０ｍｍであり、座面（１５）からバックアップ材（２１・２２）の中心部（Ｏ）までの高さ（Ｈ）が１２０〜２００ｍｍ前後であることを特徴とする前掲請求項３に記載の背凭れ。
【請求項５】
バックアップ材の突出部（２１）と後退部（２２）が分離された別々のバックアップ材（２１・２２）によって構成されていることを特徴とする前掲請求項３と４の何れかに記載の背凭れ。
【請求項６】
座面（１５）が左右の座面支持フレーム間（１７・１７）に弾性布帛を張設して構成されており、座面（１５）の弾性布帛と背凭れ（１８）の弾性布帛が連続しており、その弾性布帛（１３）によって腰椎部のバックアップ材（２１・２２）の座面の前縁側（４１）の表面が被覆されており、その座面から背椎部まで続く弾性布帛（１３）の連続部分の側縁が背凭れ支持フレーム（１２）と座面支持フレーム（１７）の何れにも固定されない自由縁（１９）になっていることを特徴とする前掲請求項１と２と３と４と５の何れかに記載の背凭れ。
【請求項７】
背凭れの幅方向（Ｗ）における弾性布帛の１０％伸長時応力がバックアップ材の１０％伸長時応力よりも少なく、弾性布帛がバックアップ材に比して背凭れの幅方向（Ｗ）に伸び易いことを特徴とする請求項１と２と３と４と５と６の何れかに記載の背凭れ。
【請求項８】
バックアップ材の一端が背凭れ支持フレーム（１２）に固定され、その他端に先端側から雄型面ファスナー（２３）と雌型面ファスナー（２４）の順に面ファスナーが取り付けられており、それらの面ファスナーが取り付けられている他端が背凭れ支持フレーム（１２）を囲撓して折り畳まれ、その折り畳まれて向き合う雄型面ファスナーと雌型面ファスナーが係合し、それらの面ファスナーの取り付けられている他端が係脱自在に背凭れ支持フレームに係止されていることを特徴とする前掲請求項１と２と３と４と５と６と７の何れかに記載の背凭れ。
【請求項９】
バックアップ材の少なくとも一端に螺子材（３６）が取り付けられ、そのバックアップ材の一端に向き合う背凭れ支持フレーム（１２）にバックアップ材の螺子材（３６）に雌雄対応する螺子材（３７）が付設されており、その背凭れ支持フレームの螺子材（３７）の付設箇所に貫通孔（３８）が穿設されており、バックアップ材の螺子材（３６）と背凭れ支持フレームの螺子材（３７）の何れか一方から軸桿（４２）が突出しており、その軸桿（４２）が背凭れ支持フレームの貫通孔（３８）を貫通しており、その貫通した軸桿（４２）を介してバックアップ材の螺子材（３６）と背凭れ支持フレームの螺子材（３７）とが螺子合わされてバックアップ材（２１，２２）が背凭れ支持フレーム（１２）に係止されていることを特徴とする前掲請求項１と２と３と４と５と６と７の何れかに記載の背凭れ。
【請求項１０】
背凭れの幅方向（Ｗ）におけるバックアップ材（２１，２２）の少なくとも一部が弾性糸と非弾性糸によって織編された弾性ベルトによって構成されていることを特徴とする前掲請求項１と２と３と４と５と６と７と８と９の何れかに記載の背凭れ。
【請求項１１】
弾性布帛が表布（２５）と裏布（２６）の接結された二重織編構造を成し、裏布（２６）に弾性糸（２７）が使用されており、裏布が裏向きになり、表布が表向きになっていることを特徴とする前掲請求項１と２と３と４と５と６と７と８と９と１０の何れかに記載の背凭れ。
【発明の詳細な説明】
【技術分野】
【０００１】
本発明は、座椅子、椅子、座席等の背凭れに関するものである。
【背景技術】
【０００２】
弾性布帛を、その側縁を背凭れ支持フレームに密着した固定縁とし、左右の背凭れ支持フレーム間に張設して構成された背椎部と、弾性布帛を、その側縁を座面支持フレームに密着した固定縁とし、左右の座面支持フレーム間に張設して構成された座面とから成る座椅子、椅子、座席等（以下、椅子等と言う。）は公知であり、その背椎部と座面の間の腰椎部にはランバーサポートが張設されている（例えば、特許文献１、２、３参照）。
背凭れ支持フレームの弾性布帛の側縁が密着している部分は、座面に対して６０〜８５度の傾斜角度をもって傾斜しており、背椎部の表面は、その背凭れ支持フレームの傾斜に沿って座面に対して６０〜８５度の傾斜角度をもって傾斜している。
車椅子では、背凭れ支持フレームの標準の背椎部の部分は、座面に対して８５度傾斜している。
【０００３】
【特許文献１】特開平１０−１９２０８５号公報
【特許文献２】特開２００５−１４３７４８号公報
【特許文献３】特開２００６−０４２８４８号公報
【発明の開示】
【発明が解決しようとする課題】
【０００４】
椅子等に腰を下ろして長時間着座すると、次第に姿勢が猫背になり、仙骨の座面から受ける反力が強く感じられ、着座し続けるのに耐えなくなる。
しかし、背筋を伸ばし、姿勢を正して着座するときは、座面に加わる体重が仙骨から大腿骨に至る臀部全体に分散し、長時間着座しても格別苦痛には感じられないようになる。その背筋を伸ばした状態では、腹部が突出し、腰椎が窪んだ姿勢になる。
従って、この腰椎が窪んだ状態が維持し得るようにランバーサポートを設定すべきと思われるが、従来の椅子等では、ランバーサポートがそのようには設定されておらず、単なる弾性布帛の補強材として適用されているように思われた。
【０００５】
そこで本発明は、背筋を伸ばし、姿勢を正し、腰椎が窪んだ状態が維持し得るようにランバーサポートを設定し、着座して猫背になるのを防ぎ、座面に加わる体重が仙骨から大腿骨に至る臀部全体に分散し、長時間の着座においても苦痛に感じられないようにすることを目的とする。
【課題を解決するための手段】
【０００６】
本発明に係る背凭れは、背椎に向き合う背椎部１１が、左右の背凭れ支持フレーム間１２・１２に弾性布帛を張設して構成されており、その背椎部の弾性布帛の左右の側縁が背凭れ支持フレーム１２に密着した固定縁１４となっており、その固定縁が座面１５に対して６０〜８０度の傾斜角度θをもって傾斜した斜面Ｔ−Ｔを構成しており、背椎部と座面の間において腰椎に向き合う腰椎部１６が、左右の背凭れ支持フレーム間にバックアップ材２１・２２を張設して構成されており、
そのバックアップ材の少なくとも一部が、背椎部の下縁４０から座面１５に降ろした垂線（Ｖ−Ｖ）よりも座面１５の前縁側（４１）に突き出た突出部２１となっており、
その突出部２１が、背椎部の固定縁１４を通る斜面Ｔ−Ｔを超えて座面の前縁側（４１）に突き出ていることを第１の特徴とする。
【０００７】
本発明に係る背凭れの第２の特徴は、上記第１の特徴に加えて、背椎部の固定縁１４を通る斜面Ｔ−Ｔを超えて突き出ているバックアップ材の突出部２１の表面Ａ−Ｏが座面１５に対して傾斜角度αをもって傾斜しており、その傾斜角度αが背椎部の固定縁を通る斜面Ｔ−Ｔの傾斜角度θ以上（α≧θ）である点にある。
【０００８】
本発明に係る背凭れの第３の特徴は、上記第１および第２の何れかの特徴に加えて、バックアップ材の突出部２１の下側部分が座面の後方側に後退した後退部２２となっている点にある。
【０００９】
本発明に係る背凭れの第４の特徴は、上記第３の特徴に加えて、バックアップ材の後退部２２の表面Ｂ−Ｏが座面１５に対して傾斜角度βをもって傾斜しており、その傾斜角度βが、バックアップ材の突出部２１の表面Ａ−Ｏの座面に対する傾斜角度α以上（β≧α）であり、背椎部の下縁４０から座面１５に降ろした垂線（Ｖ−Ｖ）からバックアップ材２１・２２の中心部Ｏまでの突出距離Ｒが２０〜７０ｍｍであり、座面１５からバックアップ材２１・２２の中心部Ｏまでの高さＨが１２０〜２００ｍｍ前後である点にある。
【００１０】
本発明に係る背凭れの第５の特徴は、上記第３および第４の何れかの特徴に加えて、バックアップ材の突出部２１と後退部２２が分離された別々のバックアップ材（２１・２２）によって構成されている点にある。
【００１１】
本発明に係る背凭れの第６の特徴は、上記第１、第２、第３、第４および第５の何れかの特徴に加えて、座面１５が左右の座面支持フレーム間１７・１７に弾性布帛を張設して構成されており、座面１５の弾性布帛と背凭れ１８の弾性布帛が連続しており、その弾性布帛１３によって腰椎部のバックアップ材２１・２２の座面の前方側の表面が被覆されており、その座面１５から背椎部１１まで続く弾性布帛１３の連続部分の側縁が背凭れ支持フレーム１２と座面支持フレーム１７の何れにも固定されない自由縁１９になっている点にある。
【００１２】
本発明に係る背凭れの第７の特徴は、上記第１、第２、第３、第４、第５および第６の何れかの特徴に加えて、背凭れの幅方向Ｗにおける弾性布帛１３の１０％伸長時応力がバックアップ材２１・２２の１０％伸長時応力よりも少なく、弾性布帛１３がバックアップ材２１・２２に比して背凭れの幅方向Ｗに伸び易い点にある。
【００１３】
本発明に係る背凭れの第８の特徴は、上記第１、第２、第３、第４、第５、第６および第７の何れかの特徴に加えて、バックアップ材２１・２２の一端が背凭れ支持フレーム１２に固定され、その他端に先端側から雄型面ファスナー２３と雌型面ファスナー２４の順に面ファスナーが取り付けられており、それらの面ファスナーが取り付けられている他端が背凭れ支持フレーム１２を囲撓して折り畳まれ、その折り畳まれて向き合う雄型面ファスナー２３と雌型面ファスナー２４が係合し、それらの面ファスナーの取り付けられている他端が係脱自在に背凭れ支持フレーム１２に係止されている点にある。
【００１４】
本発明に係る背凭れの第９の特徴は、上記第１、第２、第３、第４、第５、第６および第７の何れかの特徴に加えて、バックアップ材の少なくとも一端に螺子材３６が取り付けられ、そのバックアップ材の一端に向き合う背凭れ支持フレーム１２にバックアップ材の螺子材３６に雌雄対応する螺子材３７が付設されており、その背凭れ支持フレームの螺子材３７の付設箇所に貫通孔３８が穿設されており、バックアップ材の螺子材３６と背凭れ支持フレームの螺子材３７の何れか一方から軸桿４２が突出しており、その軸桿４２が背凭れ支持フレームの貫通孔３８を貫通しており、その貫通した軸桿４２を介してバックアップ材の螺子材３６と背凭れ支持フレームの螺子材３７とが螺子合わされてバックアップ材（２１，２２）が背凭れ支持フレーム１２に係止されている点にある。
【００１５】
本発明に係る背凭れの第１０の特徴は、上記第１、第２、第３、第４、第５、第６、第７、第８および第９の何れかの特徴に加えて、背凭れの幅方向Ｗにおけるバックアップ材（２１，２２）の少なくとも一部が弾性糸と非弾性糸によって織編された弾性ベルトによって構成されている点にある。
【００１６】
本発明に係る背凭れの第１１の特徴は、上記第１、第２、第３、第４、第５、第６、第７、第８、第９および第１０の何れかの特徴に加えて、弾性布帛１３が表布２５と裏布２６の接結された二重織編構造を成し、裏布２６に弾性糸２７が使用されており、裏布が裏向きになり、表布が表向きになっている点にある。
【発明の効果】
【００１７】
本発明では、バックアップ材の少なくとも一部を、背椎部の下縁４０から座面１５に降ろした垂線（Ｖ−Ｖ）よりも座面１５の前縁側（４１）に突き出た突出部２１としたので、バックアップ材が、腰椎を押して窪ませ、腹部を突き出し、背筋が伸びた姿勢に正すように作用する。
その背椎部の下縁４０から座面１５に降ろした垂線（Ｖ−Ｖ）よりも座面１５の前縁側（４１）に突き出たバックアップ材の突出部２１を、背椎部の固定縁１４を通る斜面Ｔ−Ｔを超えて座面の前縁側（４１）に突き出すときは、着座して背椎部１１に凭れ掛かってもバックアップ材が腰椎を押して窪ませて腹部を突き出し、背筋が伸びた姿勢に正すように作用する。
【００１８】
特に、座面１５に対する突出部２１の表面Ａ−Ｏの傾斜角度αを背椎部の傾斜角度θよりも大きくし（α＞θ）、加えて、突出部２１の下側部分を背椎部の斜面Ｔ−Ｔよりも座面の後方側に後退した後退部２２とし、更には、その後退部２２の表面Ｂ−Ｏの傾斜角度βを突出部２１の表面Ａ−Ｏの傾斜角度αよりも大きくすると（β＞α）、バックアップ材に押されて窪んだ腰椎にバックアップ材が絶えずフィットし、その腰椎が窪んで背筋が伸びた姿勢を維持し易くなる。
【００１９】
そのバックアップ材の突出部２１と後退部２２を別々のバックアップ材（２１・２２）によって構成すると、その窪んだ腰椎からバックアップ材に体圧が分散し易く、従って、バックアップ材２１・２２から受ける反力も腰椎に分散して作用するので、バックアップ材２１・２２からの反力が苦痛感を与えない。
【００２０】
特に、背凭れ１８から座面１５まで連続しており、背椎部１１での側縁が背凭れ支持フレーム１２と座面支持フレーム１７の何れにも固定されない自由縁１９になっている弾性布帛１３によってバックアップ材２１・２２の表面が被覆されていると、弾性布帛１３が腰椎にフィットし、バックアップ材２１・２２から受ける反力が腰椎に均等に分散して作用するので、長時間の着座が苦痛に感じられなくなる。
【００２１】
バックアップ材を雌雄面ファスナーによって背凭れ支持フレーム１２に固定するときは、雄型面ファスナーと雌型面ファスナーの係合位置を変えてバックアップ材の張力を変え、体型に応じてバックアップ材から腰椎に作用する反力を加減することが出来る。
又、バックアップ材の螺子材３６と背凭れ支持フレームの螺子材３７を螺子合わせてバックアップ材（２１，２２）を背凭れ支持フレーム１２に係止するときは、背凭れ支持フレームの螺子材３７を回すことによってバックアップ材の張力を変え、体型に応じてバックアップ材から腰椎に作用する反力を加減することが出来る。
このため、体型に応じて上下に移動してバックアップ材２１・２２の設定位置を変える必要性が少なくなる。
例えば、上側のバックアップ材２１を緩めればバックアップ材全体の位置は下側のバックアップ材２２に移動したと同じことになり、下側のバックアップ材２２を緩めればバックアップ材全体の位置は上側のバックアップ材２１に移動したと同じことになる。
従って、背凭れ１８の高さ方向におけるバックアップ材２１・２２の位置を厳密設定する必要はなく、背凭れ１８が製作し易くなる。
【００２２】
着座して背凭れ１８に凭れると背椎部１１やバックアップ材２１・２２が背凭れの幅方向Ｗに彎曲し、緩めたバックアップ材２１・２２は幅方向Ｗに大きく彎曲し、固定縁１４の座面１５に対してなす傾斜角度θと背椎部１１の幅方向Ｗにおける中央部の座面１５に対してなす傾斜角度（θ’）の間に差異（θ−θ’）が生じ、同様に、バックアップ材２１・２２の両端の座面１５に対してなす傾斜角度α・βとバックアップ材２１・２２の幅方向Ｗにおける中央部の座面１５に対してなす傾斜角度（α’・β’）の間にも差異（α−α’・β−β’）が生じる。
しかし、バックアップ材の両端における少なくとも一部が、背椎部の固定縁１４を通る斜面Ｔ−Ｔを超えて座面の前方側に突き出た突出部２１となっていれば、幅方向Ｗにおける背椎部１１の中央部の傾斜角度（θ’）やバックアップ材２１・２２の中央部の傾斜角度（α’・β’）が変化しても、バックアップ材２１・２２が腰椎を押して窪ませ、腹部を突き出し、背筋が伸びた姿勢に正すように作用して生じる効果は差程左右されない。
そして仮に、上下のバックアップ材２１・２２が大きく緩められることがあるとしても、適宜上下何れか一方、或いは双方のバックアップ材２１・２２を緊張し、腰椎を押して窪ませ、腹部を突き出し、背筋が伸びた姿勢に正すように作用させることが出来る。
【００２３】
バックアップ材が弾性糸と非弾性糸によって織編された弾性ベルトであれば、それが通気性を有するので、長時間の着座においても蒸れ感を与えることはない。
そして、弾性布帛１３を、表布２５と裏布２６の接結された二重織編構造とし、その裏布２６に弾性糸２７を使用し、その裏布２６を裏向きにし表布２５を表向きにして背凭れ１８に適用すると、弾性糸２７が直接肌に触れることがなく、蒸れ感を与えず、感触のよい背凭れが得られる。
【発明を実施するための最良の形態】
【００２４】
背凭れの幅方向Ｗにおける弾性布帛１３の１０％伸長時応力は、１５０〜６００（Ｎ／５ｃｍ）にするとよい。
弾性布帛１３の織編密度は、弾性布帛１３の通気度が１５０ｃｃ／ｃｍ2 ・ｓｅｃ以上になるように設定する。
弾性布帛１３を二重織編構造とするときは、それをダブルラッシェル経編機によって編成し、表布２５をメッシュ（ネット）構造にし、裏布２６を地経糸の形成する鎖編目列間を弾性挿入糸２７によって連結した無地構造にし、表布２５と裏布２６を連結糸２８によって接結一体化すると、弾性挿入糸２７が直接肌に触れることがなく、表布２５と裏布２６の間に通気性隙間が出来て蒸れ感を与えず、感触のよい背凭れが得られる。その場合、表布２５には、単繊維繊度１０ｄｔｅｘ以下の天然繊維や吸水性アクリル繊維等の吸水性繊維を使用するとよい。
【００２５】
バックアップ材２１・２２には、非弾性マルチフィラメント糸を緯糸２９に用い、弾性モノフィラメント糸３０と非弾性マルチフィラメント糸３１を経糸に用い、非弾性マルチフィラメント経糸３１の糸足が弾性モノフィラメント経糸３０の糸足の１．７倍以上になるように織成された弾性ベルトを使用するとよい。
尚、ここに言う「糸足」とは、所定の寸法の弾性ベルトを分解して引き出された糸条（３０，３１）の実質長さを意味する。
【００２６】
雌型面ファスナー２４は、ベース（地織編組織）に弾性糸を用いて伸縮自在に織編する。その場合、背凭れの幅方向Ｗにおける雌型面ファスナー２４の１０％伸長時応力がバックアップ材２１・２２と弾性布帛１３の何れの１０％伸長時応力よりも少なく、雌型面ファスナー２４がバックアップ材２１・２２と弾性布帛１３の何れに比しても背凭れの幅方向Ｗに伸び易くする。
雄型面ファスナー２３は、背凭れ支持フレームで折り返されて伸縮しないバックアップ材２１・２２の先端に取り付けられので、それには弾性糸を使用する必要はない。
【００２７】
バックアップ材の螺子材３６と背凭れ支持フレームの螺子材３７の何れか一方には雌螺子孔を設け、他方の螺子材（３６，３７）には軸桿４２を突設し、その軸桿４２に雄螺子山を設ける。その軸桿４２を背凭れ支持フレームの貫通孔３８に通して突き出た雄螺子山を一方の螺子材（３６，３７）の雌螺子孔に螺子合わすと、バックアップ材（２１，２２）が背凭れ支持フレーム１２に係止され、背凭れ支持フレームの螺子材３７を回すことによってバックアップ材の張力を変えることが出来る。
【００２８】
背凭れ支持フレーム１２が、座面に対して傾斜した脊椎部１１の固定縁１４を構成する傾斜フレーム１２ａから座面に直交する垂直フレーム１２ｂへと続く曲折した形状を成し、背凭れを側面視して垂直フレーム１２ｂが背椎部の固定縁１４を通る斜面Ｔ−Ｔに交叉するときは、その交叉する垂直フレーム１２ｂにバックアップ材２１・２２を直接係止固定してもよいし、治具を介して係止固定することも出来る（図３）。
腰椎部１６に該当する部分が、背凭れを側面視して背椎部の固定縁１４を通る斜面Ｔ−Ｔよりも後退した位置に位置する背凭れ支持フレーム１２では、その腰椎部１６に該当する部分に把手等の治具２０を背椎部の固定縁１４を通る斜面Ｔ−Ｔに向けて突設し、その把手等の治具２０にバックアップ材２１・２２を直接係止固定、又は、治具を介して係止固定することになる（図１，図２，図４）。
【００２９】
背椎部の下縁４０から座面１５に降ろした垂線（Ｖ−Ｖ）からバックアップ材２１・２２の中心部Ｏまでの突出距離Ｒは２０〜７０ｍｍで好ましくは３０〜４０ｍｍ前後に、座面１５からバックアップ材２１・２２の中心部Ｏまでの高さＨは、６０〜２００ｍｍで好ましくは１２０〜２００ｍｍ前後に、更に好ましくは１５０〜１７０ｍｍ前後にするとよい。
【００３０】
図１〜４は、本発明に係る車椅子を図示するが、本発明は車椅子に限定されない。
車椅子では背凭れの高さＤを４００〜４７０ｍｍ前後、背椎部の丈Ｅを１１０〜１７０ｍｍ前後、座面１５からバックアップ材２１・２２の中心部Ｏまでの高さＨを１１０〜１５０ｍｍ前後、バックアップ材２１・２２の中心部Ｏから背椎部１１までの距離Ｇを１３０ｍｍ前後にするとよく、座面１５からバックアップ材２１・２２の中心部Ｏまでの高さＨは概して背凭れの上縁までの高さＤの３分の１前後になるようにするとよい。
車椅子の座面１５の奥行Ｌは３８０ｍｍ前後、座面１５と背椎部１１の斜面Ｔ−Ｔとの交点Ｐから座面１５の先端縁までの距離Ｍは３３０ｍｍ前後とし、肘掛け３３を付設するときはその高さＫを２３０ｍｍ前後にするとよい。
背凭れ支持フレーム１２に密着した弾性布帛１３の固定縁１４の座面１５に対する傾斜角度θは７５〜８５度前後（標準８５度）にするとよい。
【００３１】
図４に図示するように、弾性布帛の固定縁１４が背凭れ支持フレーム１２に沿って彎曲し、背椎部１１が曲面となる場合、その彎曲した背椎部の丈Ｅの半分となる固定縁１４の上縁３９と下縁４０の間の中心部Ｑにおいて、その彎曲した固定縁１４の曲線に接する接線（Ｔ−Ｔ）をもって背椎部１１の斜面とし、その斜面（Ｔ−Ｔ）が座面１５となす傾斜角度θを７５〜８５度前後（標準８５度）にする。
【００３２】
座面の前半部３２は、弾性布帛１３を折り返して二重にするとよい。
そうすると、座面の後半部３４が前半部３２に比して柔らかく、着座したとき後半部３４が前半部３２に比して窪み、座面から受ける体重の反力が仙骨から大腿骨に至る臀部全体に分散して苦痛感を与えず、前半部３２と後半部３４の間にステップ（段差）３５が生じて姿勢が前屈みにならず、そのステップ３５に臀部が引っ掛かる格好になるので、臀部が前半部３２へと移動して所謂ズッコケ座りとか仙骨座りと言った不自然な座り方にならず、背筋が伸びた正しい姿勢で長時間着座し易くなる。
【００３３】
座面１５の前半部３２と同様に、背椎部１１でも弾性布帛１３を折り返して二重にすることが出来る。背椎部１１には、補強芯材として腰椎部１６のバックアップ材２１・２２と同様の弾性ベルトを付設することが出来る。
【図面の簡単な説明】
【００３４】
【図１】本発明に係る車椅子の背凭れの斜視図である。
【図２】本発明に係る車椅子の背凭れの透視側面図である。
【図３】本発明に係る車椅子の背凭れの斜視図である。
【図４】本発明に係る車椅子の背凭れの側面図である。
【符号の説明】
【００３５】
１１：背椎部
１２：背凭れ支持フレーム
１３：弾性布帛
１４：固定縁
１５：座面
１６：腰椎部
１７：座面支持フレーム
１８：背凭れ
１９：自由縁
２０：治具
２１：バックアップ材（突出部）
２２：バックアップ材（後退部）
２３：雄型面ファスナー
２４：雌型面ファスナー
２５：表布
２６：裏布
２７：弾性糸（弾性挿入糸）
２８：連結糸
２９：緯糸
３０：弾性モノフィラメント糸
３１：非弾性マルチフィラメント糸
３２：前半部
３３：肘掛け
３４：後半部
３５：ステップ
３６，３７：螺子材
３８：貫通孔
３９：上縁
４０：下縁
４１：前縁
４２：軸桿
【図１】
2008000326.tif 000003
【図２】
2008000326.tif 000004
【図３】
2008000326.tif 000005
【図４】
2008000326.tif 000006